(57)【要約】【課題】ＰＣおよび書き換えアプリケーション等の特別な環境を用意しなくとも、容易に複数台の装置間におけるパラメタを一致させ、動作状態を揃えることが可能な表示装置を提供すること。【解決手段】入力映像信号を元に映像を表示する映像表示装置であって、前記装置は、 他表示装置と通信することができる通信手段と、前記通信手段によって、通信可能な他表示装置から更新可能な管理パラメタの情報を取得する他表示装置管理パラメタ情報取得手段と、前記取得した他装置の管理パラメタ情報と自らの管理パラメタ情報とを比較し、 装置間でパラメタ情報に差異があれば、前記通信手段を介して、自表示装置の該当するデータを他表示装置に送信し他表示装置のパラメタを書き換えるパラメタ更新手段と、を備えることを特徴とする。【選択図】図１
2017204203.tif 000002
【特許請求の範囲】
【請求項１】
入力映像信号を元に映像を表示する映像表示装置であって、前記装置は、 
他表示装置と通信することができる通信手段と、 
前記通信手段によって、通信可能な他表示装置から更新可能な管理パラメタの情報を取得する他表示装置管理パラメタ情報取得手段と、 
前記取得した他装置の管理パラメタ情報と自らの管理パラメタ情報とを比較し、 
装置間でパラメタ情報に差異があれば、前記通信手段を介して、自表示装置の該当するデータを他表示装置に送信し他表示装置のパラメタを書き換えるパラメタ更新手段と、を備えることを特徴とする映像表示装置。
【請求項２】
入力映像信号を元に映像を表示する映像表示装置であって、前記装置は、 
他表示装置と通信することができる通信手段と、 
前記通信手段によって、通信可能な他表示装置から更新可能な管理パラメタの情報を取得する他表示装置管理パラメタ情報取得手段と、 
前記取得した他装置の管理パラメタ情報と自らの管理パラメタ情報とを比較し、 
装置間でパラメタ情報に差異があれば、前記通信手段を介して、他表示装置の該当するパラメタを受信し自表示装置の該当パラメタを書き換えるパラメタ更新手段と、を備えることを特徴とする映像表示装置。
【請求項３】
入力映像信号を元に映像を表示する映像表示装置であって、前記装置は、 
他表示装置と通信することができる通信手段と、 
前記通信手段によって、通信可能な他表示装置から更新可能な管理パラメタの情報を取得する 他表示装置管理パラメタ情報取得手段と、 
前記取得した他装置の管理パラメタ情報と自らの管理パラメタ情報とを比較し、 
装置間でパラメタ情報に差異があれば、差異のある装置とその項目をOSDメニュー上に表示する差異パラメタ項目表示手段と、
前記差異パラメタ表示手段によって表示された項目のうち、少なくとも１つ以上を選択することにより、前記通信手段を介して、自表示装置の該当するパラメタを他表示装置に送信し他表示装置のパラメタを書き換える、パラメタ更新手段と、を備えることを特徴とする映像表示装置。
【請求項４】
入力映像信号を元に映像を表示する映像表示装置であって、前記装置は、 
他表示装置と通信することができる通信手段と、 
前記通信手段によって、通信可能な他表示装置から更新可能な管理パラメタの情報を取得する他表示装置管理パラメタ情報取得手段と、 
前記取得した他装置の管理パラメタ情報と自らの管理パラメタ情報とを比較し、 
装置間でパラメタ情報に差異があれば、差異のある装置とその項目をOSDメニュー上に表示する差異パラメタ項目表示手段と、
前記差異パラメタ項目表示手段によって表示された項目のうち、少なくとも１つ以上を選択することにより、前記通信手段を介して、他表示装置の該当するパラメタを受信し自表示装置の該当パラメタを書き換える、パラメタ更新手段と、を備えることを特徴とする映像表示装置。
【請求項５】
入力映像信号を元に映像を表示する映像表示装置であって、前記装置は、 
他表示装置と通信することができる通信手段と、 
前記通信手段によって、通信可能な他表示装置から更新可能な管理パラメタの情報を取得する他表示装置管理パラメタ情報取得手段と、 
前記取得した他装置の管理パラメタ情報と自らの管理パラメタ情報とを比較し、 
装置間でパラメタ情報に差異があれば、差異のある装置とその項目をOSDメニュー上に表示する差異パラメタ項目表示手段と、
前記差異パラメタ項目表示手段によって表示された項目に該当する各パラメタについて、
自表示装置から他表示装置送信して他表示装置のパラメタ書き換えを行うか、
自表示装置が他表示装置から受信して自表示装置のパラメタ書き換えを行うか、を
個別に指定可能なパラメタ更新方向選択手段と、
前記差異パラメタ項目表示手段によって表示された項目のうち、少なくとも１つ以上を選択し、前記通信手段を介して、前記パラメタ更新方向手段で設定した通信方向に従って、更新パラメタの書き換えるパラメタ更新手段と、を備えることを特徴とする映像表示装置。
【請求項６】
前記装置はさらに、
前記パラメタ更新手段によるパラメタ更新の実行を、ユーザーが所定の時刻あるいは
所定のタイミングで設定することが可能なパラメタ更新予約手段、
を備えることを特徴とする請求項１乃至請求項５の何れか一項に記載の映像表示装置。
【請求項７】
前記装置はさらに、
サーバー機器が装置に接続されている場合に、前記サーバー機器に対してパラメタ情報要求の通信を行ってパラメタ情報を取得する、サーバー上パラメタ情報取得手段と、前記サーバー上パラメタ情報取得手段によって得られたパラメタ情報から、サーバー機器上に存在するパラメタと自表示装置との間で、パラメタに差異がある場合に、差異のあるパラメタを表示装置が受信し、自表示装置のパラメタの書き換えを実行する、サーバー上パラメタ取得更新手段、を備えることを特徴とする請求項１乃至請求項６の何れか一項に記載の映像表示装置。
【請求項８】
前記サーバー上パラメタ情報取得手段よって、サーバー機器から得られたパラメタ情報により、サーバー機器上に存在するパラメタと、自表示装置との間で、パラメタ情報に差異がある場合に、差異のあるパラメタ項目を自表示装置のOSDメニュー上に表示するサーバー上差異パラメタ項目表示手段と、
前記サーバー上差異パラメタ項目表示手段によって表示された項目のうち、ユーザーが少なくとも１つ以上を選択することにより、サーバー機器から該当するパラメタを受信し、自表示装置の該当パラメタを書き換える、サーバー上パラメタ取得更新手段と、を備えることを特徴とする請求項７に記載の映像表示装置。
【請求項９】
前記装置はさらに、
前記サーバー上パラメタ取得更新手段によるパラメタ更新の実行を、ユーザーが所定の時刻あるいは所定のタイミングで設定することが可能なパラメタ更新予約手段、
を備えることを特徴とする請求項７又は請求項８に記載の映像表示装置。
【請求項１０】
前記更新可能な管理パラメタおよび、取得可能な管理パラメタ情報は、前記表示装置の不揮発メモリに記録されたデータ類、あるいは前記表示装置の揮発メモリ上に展開されたデータ類、あるいは前記表示装置から取り外し可能な交換部品に存在する不揮発メモリに記録されたデータ類のうち、少なくとも１つ以上であることを特徴とする請求項１乃至請求項９の何れか一項に記載の映像表示装置。
【発明の詳細な説明】
【技術分野】
【０００１】
本発明は、表示装置に関し、特にパラメタの書き換え手段を有する表示装置に関する。
【背景技術】
【０００２】
従来、製品出荷後に機能や品質の向上および保守のために、各種パラメタを更新可能な表示装置が知られている。
【０００３】
特許文献１には、ファームウェア書き換え可能なプロジェクタに関する技術が提案されている。
【先行技術文献】
【特許文献】
【０００４】
【特許文献１】特開2004-62027号公報
【発明の概要】
【発明が解決しようとする課題】
【０００５】
しかしながら、上述の特許文献１に開示された従来技術では、ユーザーは表示装置のファームウェア書き換えを実行するために、PCおよび書き換え用アプリケーションを用意しなければならない。また、ユーザーは書き換え用のファイルセットを配布している公開サーバーにアクセスし、その装置に適した正しいファイルセットを入手する必要がある。また、複数台の表示装置を使用している環境においては装置間で動作条件を揃えるために、各装置間でファームウェアバージョンを一致させたいケースが多い。
【０００６】
しかしながら、１台１台のファームウェアバージョンを確認してから作業を実施する必要がある等、ファームウェア書き換え作業は、ユーザーにとって非常に煩わしいものであった。さらには、ファームウェア以外にも、全ての装置間で動作条件を揃えるために、メニュー設定値やレンズROM値など各種パラメタを書き換えるケースに関しても、同様に煩わしいものであった。
【０００７】
そこで、本発明の目的は、PCおよび書き換え用アプリケーション等の特別な環境を用意しなくとも、容易に複数台の装置間におけるパラメタを一致させ、動作状態を揃えることが可能な表示装置を提供することにある。
【課題を解決するための手段】
【０００８】
上記の目的を達成するために、本発明に係る表示装置は、
他表示装置と通信することができる通信手段と、 
前記通信手段によって、通信可能な他表示装置から更新可能な管理パラメタの情報を取得する他表示装置管理パラメタ情報取得手段と、 
前記取得した他装置の管理パラメタ情報と自らの管理パラメタ情報とを比較し、 
装置間でパラメタ情報に差異があれば、前記通信手段を介して、自表示装置の該当するデータを他表示装置に送信し他表示装置のパラメタを書き換えるパラメタ更新手段と、を備えることを特徴とする。
【発明の効果】
【０００９】
本発明によれば、ＰＣおよび書き換えアプリケーション等の特別な環境を用意しなくとも、容易に複数台の装置間におけるパラメタを一致させ、動作状態を揃えることが可能な表示装置を提供できる。
【図面の簡単な説明】
【００１０】
【図１】本発明の実施例１のディスプレイを示す全体構成図である。
【図２】本発明の実施例１における処理を説明したフロー図である。
【図３】本発明の実施例1における装置間の接続例を示した図である。
【図４】本発明の実施例1における通信データの形式を示す図である。
【図５】本発明の実施例1におけるUIメニューの表示例を示す図である。
【図６】本発明の実施例2における装置間の接続例を示す図である。
【図７】本発明の実施例3におけるプロジェクタを示す全体構成図である。
【図８】本発明の実施例3におけるUIメニューの表示例を示す全体構成図である。
【図９】本発明の実施例４におけるUIメニューの表示例を示す全体構成図である。
【発明を実施するための形態】
【００１１】
以下に、本発明の好ましい実施の形態を、添付の図面に基づいて詳細に説明する。図１は本発明の実施形態にかかわる表示装置の全体構成図である。
【００１２】
［実施例１］
以下、図１を参照して、本発明の第１の実施例によるディスプレイについて説明する。
【００１３】
ディスプレイ(１０）は、信号入力端子(１００)、映像信号処理回路（１０１）、映像表示部（１０２）、通信部（１０３）、OSD生成回路（１０４）、表示パネル駆動回路（１０５）、制御マイコン（１０６）、不揮発メモリ（１０７）、揮発メモリ（１０８）、操作検知部（１０９）、図には記載していないが装置への電源供給部から構成される。
【００１４】
信号入力端子には、HDMI（登録商標）、DVI、アナログVGAなどのインターフェースが配置される。PC装置やブルーレイディスクプレーヤー等、外部映像出力機器からの映像信号あるいは音声信号が入力される。映像信号処理回路は、入力映像信号のクロック周波数やインフォフレームのデータを元に入力映像の解像度を判定する機能や、ノイズ除去、拡大/縮小といったスケーリングの機能を備える。
【００１５】
OSD生成回路は、表示映像上にメニュー画像や情報アイコン画像などのOSD（オンスクリーンディスプレイ）画像をグラフィック描画により生成し、映像信号に重畳させる処理を行う。映像表示部は、透明な２枚の基板間に液晶を封入した液晶表示パネル、液晶パネルの裏面側に配置され、パネルに光を照射するバックライトユニットなどから構成される。表示パネル駆動回路は、LCD(Liquid Crystal Display)駆動回路であり、液晶分子に電圧を加えることで液晶の傾きを制御し、光の透過量を調整する。
【００１６】
通信部は、RS-232Cや有線LANなどのケーブルの接続端子を備え、外部の接続された機器との間で、データを送受信することができる。不揮発メモリは、装置への電源供給を止めても情報を保持できる書き換え可能な不揮発性の記録媒体であり、フラッシュメモリやEEPROMが用いられる。不揮発メモリは、記録パラメタの容量や、処理の目的に応じて複数配置される場合もある。不揮発メモリ中には、装置の製造シリアルナンバー、ファームウェアおよびそのバージョン、EDIDおよびそのバージョン、メニューの設定値など、装置の動作に関わる各種パラメタが記録されている。
【００１７】
揮発メモリはRAMであり、電源供給時、制御マイコンの一時的な作業領域として使用される。動作中のメニュー設定などがこの領域におかれる。制御マイコンは、不揮発メモリに記録された各種パラメタの内容に基づいて処理を実行する装置の制御コントローラーとして機能する。操作検知部は、装置の外面に設けられた操作部および、赤外リモコンや有線リモコンなどの受光部から構成され、操作されたイベントを検出し、操作キーのコードなどを制御マイコンへ通知する。
【００１８】
以上が、装置の構成である。続いて、前記構成のディスプレイによる、実行パラメタの一致処理について、図2の処理フローに従って説明する。
【００１９】
同じ構成のディスププレイAとディスプレイBが存在し、ディスプレイA、ディスプレイBには、製品名および装置毎に固有なIDである製造シリアルナンバーがそれぞれの不揮発メモリに記録されており、ユーザーはディスプレイAを操作すると仮定する。ディスプレイAとディスプレイBが有線LANケーブルで図３のように接続された場合、ディスプレイAはディスプレイBに対してパラメタ情報要求パケットを送信する(図２ S100)。 なお、この時、ディスプレイBも同様に、ディスプレイAにパラメタ情報要求パケットを送信する。
【００２０】
パラメタ情報要求パケットは、図４（ｂ）に示したような形式であり、ヘッダ部とペイロード部から構成される。ヘッダ部には、パラメタ情報要求パケットであることを示すフラグ値以外に、送信元装置の製品名とシリアルナンバーが含まれる。ペイロード部には、パラメタ情報を通信相手に対して要求するコマンドが含まれている。
【００２１】
このパケットを受信した装置は、パケットのヘッダ部を解析することによって、パラメタの一致処理が実行可能なディスプレイ装置から送信されたものかを判別する。もし、更新を実行できない製品名からのパケットの場合は、パケットを破棄し何も行わない。なお、パラメタの一致処理が実行可能な装置は、同種の製品である場合はもちろんだが、ディスプレイの不揮発メモリ中には、パラメタの一致処理が実行可能な製品のリストを記録しておくことで、異なる製品であっても処理に互換性がある製品の場合は処理を実行できる。
【００２２】
パラメタ情報要求パケットを受け取った装置(ディスプレイB)は、ヘッダの解析の結果、パラメタの一致処理が実行可能であれば、該パケットの送信元に対して、パラメタ情報パケットを返信し、送信元装置(ディスプレイA)はこのパラメタ情報パケットを受信する（図２  S101）。
【００２３】
パラメタ情報パケットは図４(c)に示したような形式であり、ヘッダ部とペイロード部から構成される。ヘッダ部には、パラメタ情報パケットであることを示すフラグ値以外に、送信元装置のシリアルナンバーと製品名が含まれる。ペイロード部には、送信元装置(ディスプレイB)のパラメタ情報が含まれる。ここで、パラメタ情報とはファームウェアバージョンやEDIDバージョン等の管理情報でありパラメタの実体では無い。
【００２４】
ディスプレイAはパケットのヘッダ部を解析し、同一製品、あるいは処理に互換性が有り、更新を実行しても問題ない製品からのパケットであった場合、パケットのペイロード部分を解析し、ペイロードに含まれる情報と、ディスプレイA自身が持っている情報とを比較する (図２ S102) 。情報を比較した結果、差異があれば、その項目を図５（a）のような差異情報メニューに表示する。本実施例では、差異がある装置のシリアルナンバー、製品名を一覧表示する。
【００２５】
ユーザーは、差異のある装置を選択することで、図５(b)のように、差異のあるパラメタについて確認することができ、差異パラメタ毎に下記の選択ができる (図２ S103) 。
１．ディスプレイAのパラメタに、ディスプレイBのパラメタを一致させる。
(通信接続先装置のパラメタを、操作側装置の該当パラメタで書き換える。)
２．ディスプレイAのパラメタを、ディスプレイBのパラメタに一致させる。
(通信接続先装置のパラメタを使用して、操作側装置の該当パラメタを書き換える。)
３．パラメタを一致させない。
【００２６】
設定後、ユーザーは図５(c)のようなメニューにより、パラメタ一致処理を即時実行するか、時刻や装置の動作条件が変化した場合をトリガとして予約実行するかを選択する。
選択が完了すると、ディスプレイAはディスプレイBに対して、書き換え方法通知パケットを送信する (図２ S104) 。
【００２７】
書き換え方法通知パケットは図４(d)のような形式であり、ヘッダ部とペイロード部から構成される。ヘッダ部には、書き換え方法通知パケットであることを示すフラグ値以外に、ディスプレイAのシリアルナンバーと製品名が含まれる。ペイロード部には、書き換えを実行するパラメタの種類と、書き換え方法(ディスプレイAのパラメタをディスプレイBのパラメタで書き換えるのか、ディスプレイAのパラメタでディスプレイBのパラメタで書き換えるのか、一致させないのか)を示すフラグ値、書き換え実行タイミング情報から構成される。書き換え実行タイミング情報には、図５(c)の予約実行を選択した場合、その予約指定した内容に対応した情報が入っている。
【００２８】
この書き換え方法の通知パケットにより、パラメタの書き換え方法と実行タイミングが規定される。指定された実行タイミングになると、ディプレイAとディスプレイBの間で、パラメタ更新パケットが送受信される(図２ S105、S106-1、S106-2)。パラメタ更新パケットは図４(e)のような形式であり、ヘッダ部とペイロード部から構成される。ヘッダ部には、パラメタ更新パケットであることを示すフラグ値以外に、送信元装置のシリアルナンバーと製品名、ペイロード部にはパラメタの実体データが含まれる。
【００２９】
パラメタ更新パケットを受信した装置(ディスプレイA)は、ペイロード部に含まれるパラメタの実体データを使用し、装置の不揮発メモリに記録されたパラメタのデータ書き換えを実行する (図２ S107) 。
【００３０】
図２ S104の処理で指定した全てのパラメタに対して処理が完了すると、パラメタの一致処理は終了となる。
【００３１】
以上の処理により、２つのディスプレイ間における差異のあるパラメタを一致させることができる。例えば、ディスプレイAとディスプレイBは同一製品であり以下のようなパラメタである。
【００３２】
ディスプレイAのファームウェアバージョンはFV1.1、EDIDバージョンは、EV1.1
ディスプレイBのファームウェアバージョンはFV2.0、EDIDバージョンは、EV0.5
ディスプレイAのファームウェアバージョンをディスプレイBに、ディスプレイBのEDIDバージョンをディスプレイAに一致するように指定し、パラメタの一致処理を実行すると、対象パラメタの書き換えが行われ、ディスプレイA、ディスプレイBともに、ファームウェアバージョンはFV2.0、EDIDバージョンは、EV1.1 となりパラメタが一致した状態になる。
【００３３】
本例では、ディスプレイの接続台数が２台の場合を示したが、２台より多い台数を接続し、各装置の差異をUIに表示することも可能である。この場合は、UIメニューに差異のある装置の一覧が表示される。さらに、本実施例では、ファームウェア、EDIDの2種類のパラメタについて装置間で一致させる例を示したが、装置間で一致させたいパラメタの種類に関しては、設計事項であり、これ以外のパラメタを一致させても良い。
【００３４】
例えば、ディスプレイAは日本語と英語の言語に対応した言語データを不揮発メモリに持ち、ディスプレイBは日本語と英語と中国後の言語に対応した言語データを不揮発メモリに持っているケースでは、言語データを一致させることも可能である。
【００３５】
［実施例２］
実施例１の構成でも、本発明は完成するが、さらに好ましくは実施例２の処理によって、より利便性の向上が図れる。以下、本発明の第２の実施例によるディスプレイについて説明する。
【００３６】
ディスプレイの構成としては、図１の構成と同様であり、本実施例におけるディスプレイは、実施例１で説明した機能(ディスプレイ装置間で差異のあるパラメタを一致させる機能)に加えて、通信部を介して接続された公開サーバーからパラメタ情報を受信し、自装置のパラメタ情報と比較して、差異のあったパラメタを公開サーバーから受信して書き換えることができる。
【００３７】
公開サーバーは、市場に出荷された装置のファームウェアやEDIDなどの各種パラメタに更新があった場合に、それらパラメタの情報ならびにパラメタの実体が置かれる場所であり、本発明のディスプレイの販売会社のWEBサイトなどがこれに該当する。
【００３８】
図６のように、公開サーバーと少なくとも1台以上のディスプレイ装置が、通信ケーブルを介して接続された場合を例として本実施例の処理を説明する。
【００３９】
なお、本実施例におけるディスプレイ装置と公開サーバー間の通信で送受信されるパケットの形式は、図４で示した形式と同様であるが、公開サーバーが送信するパケットのヘッダ部は、製品名部分に、パラメタ情報要求パケットを送信してきたディスプレイ装置の製品部を格納し、シリアルナンバー部分に、公開サーバー固有のシリアルナンバーを格納する。こうすることで、ディスプレイ装置側にとって、公開サーバーはあたかも、同一種類の仮想的なディスプレイ装置としての扱いになり、処理の効率化が図れる。
【００４０】
ディスプレイ装置と公開サーバーとの間での通信処理は、図２で示した処理フローと同様の処理が実行される。ディスププレイ1は、通信部から図４(b)で示したパラメタ情報要求パケットを送信する。パラメタ情報要求パケットを受け取った公開サーバーと、他のディスプレイ装置は、ディスプレイ１に対して、図４(ｃ)で示したパラメタ情報パケットを返信する。ディスプレイ１と他のディスプレイとの間の処理は、実施例１で示した通りであるので、説明を割愛する。
【００４１】
公開サーバーからのパラメタ情報パケットを受信したディスプレイ１は、該パケットのヘッダ部を解析するが、ディスプレイ１と同一の製品名がヘッダ名に含まれているので、当然更新を実行しても問題ないパケットと判定される。
【００４２】
以後は、公開サーバーを仮想のディスプレイ装置と見なすので、実施例１と同様の処理となる。すなわち、ディスプレイ１は、パラメタ情報パケットのペイロード部分を解析し、ペイロードに含まれる情報と、ディスプレイ１自身が持っている情報とを比較し、差異があれば、差異情報メニューに表示する。そして、差異パラメタ毎に下記の選択ができる。
１．ディスプレイ１のパラメタに、公開サーバー(仮想ディスプレイ)のパラメタを一致させる。
２．ディスプレイ１のパラメタを、公開サーバー(仮想ディスプレイ)のパラメタに一致させる。
３．パラメタを一致させない。
【００４３】
設定後、パラメタ一致処理を即時実行するか、時刻や、装置の動作条件が変化した場合をトリガとして予約実行するかを選択する。選択後、ディスプレイ１は書き換え方法通知パケットを、公開サーバーに対して送信する。指定された一致処理の実行タイミングになると、ディプレイ１と公開サーバーの間で、パラメタ更新パケットが送受信される。ただし、公開サーバー側は、ディスプレイ装置から送信された更新パケットを受信しても何もしない。
【００４４】
ディスプレイ１は公開サーバー側から受信した更新パケットに含まれるパラメタの実体データを使用して、自装置の不揮発メモリを書き換える。
【００４５】
以上の処理により、ディスプレイ装置のパラメタを、公開サーバーに置かれたパラメタに一致させることができる。
【００４６】
公開サーバーには最新のパラメタが置かれるのが通常であるため、本実施例で示した構成のディスプレイを図６のような形態で接続すれば、常に装置のパラメタを最新に保ちつつ、特定の装置間でパラメタを一致させ、動作条件を容易に一致させることが可能となる。
【００４７】
［実施例３］
実施例１、２では、ファームウェア、EDID、言語データ等、表示装置中の不揮発メモリに記録されたパラメタを装置間で一致させる構成を説明したが、表示装置の交換可能な部品の中に備えられた不揮発メモリのパラメタも一致させることが可能であれば、更に利便性が向上する。
【００４８】
以下、図７を参照して、本発明の第３の実施例によるプロジェクタについて説明する。プロジェクタ（２０）は、信号入力端子（２００）、映像信号処理回路（２０１）、映像投射光学系（２０２）、投射レンズ（２０３）、レンズROM（２０４）、通信部（２０５）、OSD生成回路（２０６）、レンズ駆動装置（２０７）、制御マイコン（２０８）、不揮発メモリ（２０９）、揮発メモリ（２１０）、操作検知部（２１１）、図には記載していないが装置への電源供給部から構成される。
【００４９】
信号入力端子には、HDMI（登録商標）、DVI、アナログVGAなどのインターフェースが配置される。PC装置やブルーレイディスクプレーヤー等、外部映像出力機器からの映像信号あるいは音声信号が入力される。映像信号処理回路は、入力映像信号のクロック周波数やインフォフレームのデータを元に入力映像の解像度を判定する機能や、ノイズ除去、拡大/縮小といったスケーリングの機能を備える。
【００５０】
OSD生成回路は、表示映像上にメニュー画像や情報アイコン画像などのOSD（オンスクリーンディスプレイ）画像をグラフィック描画により生成し、映像信号に重畳させる処理を行う。
【００５１】
映像投射光学系は、光源と、映像信号処理回路からの映像を表示する液晶パネルと、液晶パネルを透過あるいは反射した光を投射レンズに導くミラーユニットから構成される。光源としては、高圧水銀ランプ、LED、レーザー、などが使用される。投射レンズに入った光は、表示画角が拡大または縮小され、装置の遠方に映像を映しだす。レンズ駆動装置は、モーターやギアを動作させる駆動パルス信号を生成する電気回路である。
【００５２】
制御マイコンは、不揮発メモリに記録された各種パラメタの内容に基づいて処理を実行する装置の制御コントローラーとして機能する。制御マイコンが、レンズ駆動装置を介してモーターやギアを制御することで、投射レンズの焦点位置や拡大倍率を、投射レンズが備える能力の範囲で変動させることができる。
【００５３】
投射レンズ内には、投射レンズの製品名、レンズ焦点距離、レンズ種類、絞り値など投射レンズの能力を示すパラメタが記録された不揮発メモリである、レンズROMを備えており、制御マイコンはこの値を読むことで、駆動可能な範囲を決定する。
【００５４】
また制御マイコンはレンズROMの書き換えが可能であり、必要な場合、レンズROMの書き換えを行い、レンズの動作特性を変更することができる。なお、投射レンズ自体も着脱可能であり、望遠や広角、絞り値など物理的な特性が異なる投射レンズを使用することにより、プロジェクタの使用用途を拡張することができる。
【００５５】
通信部は、RS-232Cや有線LANなどのケーブルの接続端子を備え、外部の接続された機器との間で、データを送受信することができる。
【００５６】
不揮発メモリは、装置への電源供給を止めても情報を保持できる書き換え可能な不揮発性の記録媒体であり、フラッシュメモリやEEPROMが用いられる。不揮発メモリは、記録パラメタの容量や、処理の目的に応じて複数配置される場合もある。不揮発メモリ中には、装置の製造シリアルナンバー、ファームウェアおよびそのバージョン、EDIDおよびそのバージョン、メニューの設定値など、装置の動作に関わる各種パラメタが記録されている。揮発メモリはRAMであり、電源供給時、制御マイコンの一時的な作業領域として使用される。動作中のメニュー設定などがこの領域におかれる。
【００５７】
操作検知部は、装置の外面に設けられた操作部および、赤外リモコンや有線リモコンなどの受光部から構成され、操作されたイベントを検出し、操作キーのコードなどを制御マイコンへ通知する。
【００５８】
以上が、装置の構成である。本実施例のプロジェクタは、
実施例１の「プロジェクタ装置間でのパラメタの一致処理」       −(1)
実施例２の「公開サーバーのパラメタに自装置を一致させる処理」 −(2)
上記(1)、(2)の処理を実行できる上に、加えて、投射レンズ内のレンズROMパラメタのような、交換可能な部品内の不揮発メモリについても、装置のパラメタの１つとして扱うことが可能であり、これによって処理（１）、処理（２）と同様の処理によって、パラメタの一致処理が実行できる。
【００５９】
本処理について、次のケースを例に説明する。プロジェクタAとプロジェクタBがLANケーブルで接続されており、プロジェクタAとプロジェクタBには、同じ製品名の投射レンズが取り付けられている。ただし、プロジェクタAとプロジェクタBのレンズROMに記録されたパラメタのバージョンが異なっており、下記の状態である。
プロジェクタAに取り付けられた投射レンズのROMバージョン: LV1.1
プロジェクタBに取り付けられた投射レンズのROMバージョン: LV1.0
もし、各プロジェクタ装置の状態(投射レンズのROM状態)を LV1.1に統一する場合、差異のあるパラメタを表示するメニューには、図８のように投射レンズのROMバージョンが差異パラメタとして表示されるので、プロジェクタAのレンズROMパラメタで、プロジェクタBのレンズROMパラメタを書き換えるように、パラメタの一致処理を実行することで、2台のプロジェクタ間のレンズROMのパラメタを一致させることができる。
【００６０】
なお、本例では投射レンズ内に備えたレンズROMのパラメタを一致させる例を説明したが、不揮発メモリを備えた交換部品であり、制御マイコンからその不揮発メモリにアクセス可能であれば良いので、例えば、光源に、光源の動作制御のために不揮発メモリが備えられていれば、光源内の不揮発メモリのパラメタをプロジェクタ装置間で一致させても良い。
【００６１】
［実施例４］
実施例１、２、３では、表示装置の不揮発メモリに記録されたパラメタ、および交換可能な部品内に備えられた不揮発メモリのパラメタを装置間で一致させる構成を説明した。これに加え、動作中の状態も一致させる、すなわち、揮発メモリ上に展開されたパラメタも一致させることができればさらに利便性が向上し、より好ましい。
【００６２】
以下、本発明の第４の実施例によるプロジェクタについて説明する。本実施例のプロジェクタの構成は実施例３と同じ構成であり、
実施例１の「プロジェクタ装置間でのパラメタの一致処理」       −(1)
実施例２の「公開サーバーのパラメタに自装置を一致させる処理」 −(2)
実施例３の「交換可能部品内の不揮発メモリのパラメタを一致させる処理」 -（3）
上記(1)、(2)、（3）の処理を実行できる上に、加えて、動作中のランプモードや画質モードのような、RAM(揮発メモリ)上に置かれたUIメニュー設定値についても、装置のパラメタの１つとして扱うことが可能であり、UIメニュー設定値をプロジェクタ装置間で一致させることができる。
【００６３】
次のケースを例に説明する。プロジェクタAとプロジェクタBがLANケーブルで接続されており、プロジェクタAとプロジェクタBは次のように設定され動作している。
プロジェクタA：ランプモード設定 : 高輝度   画質モード：映画用
プロジェクタB：ランプモード設定 : 通常     画質モード：プレゼンテーション用
もし、プロジェクタAのランプモードに、プロジェクタBのランプモードを一致させ、プロジェクタBの画質モードに、プロジェクタAの画質モードを一致させたい場合には、差異のあるパラメタを表示するメニューは、図９のように設定項目に差異のあるものが表示されるので、RAM上の該当モードを書き換えるようにパラメタの一致処理を実行することで、2台のプロジェクタ間のメニュー設定値を一致させ、即時動作に反映させることができる。
【００６４】
以上、本発明の好ましい実施形態について説明したが、本発明はこれらの実施形態に限定されず、その要旨の範囲内で種々の変形及び変更が可能である。
【００６５】
例えば、本発明の実施例では、通信手段が有線LANの場合について説明したが、実施例中に示した形式の通信パケットを、表示装置間あるいは表示装置と公開サーバー間で送受信可能であれば成り立つので、有線LAN以外の通信方法として、RS232シリアル通信や、無線LAN等、別の通信インターフェースに置き換えても実現可能である。
【００６６】
また、ディスプレイとプロジェクタの場合を実施例で説明したが、本発明は、映像表示部と、他装置との通信手段を備えた機器であれば成り立つので、テレビ、ディスプレイ表示部を備えた複合機、携帯電話などの装置にも本発明は適用できる。
【符号の説明】
【００６７】
１０    ディスプレイ、１００  信号入力端子、１０１  映像信号処理回路、
１０２  映像表示部、１０３  通信部、１０４  OSD生成回路、
１０５  表示パネル駆動回路、１０６  制御マイコン、１０７  不揮発メモリ、
１０８  揮発メモリ、１０９  操作検知部
【図１】
2017204203.tif 000003
【図２】
2017204203.tif 000004
【図３】
2017204203.tif 000005
【図４】
2017204203.tif 000006
【図５】
2017204203.tif 000007
【図６】
2017204203.tif 000008
【図７】
2017204203.tif 000009
【図８】
2017204203.tif 000010
【図９】
2017204203.tif 000011